(57)【要約】      （修正有）【課題】内容物の残り量に応じて収縮する内層を有し内容物の絞り出し後は空気導入通路をなすリブを通じて外部から空気を滞りなく導入できて外層の形状復元をはかることができる絞り出し多層容器を提供する。【解決手段】容器の外層６に空気を導入する空気孔９を設けるとともに、容器の外層６の外面側に空気孔９の近傍で一端が開口しかつ他端が容器の底部で空気に開口する空気導入通路１２をなすリブ１０を形成してある。容器の外層６の表面にシュリンク包装１１を施してある。【選択図】図１
2014104995.tif 000002
【特許請求の範囲】
【請求項１】
内層と外層の層構造をなす容器において、容器の外層に外層と内層の界面へ空気を導入する空気孔を設けるとともに、容器の外層の外面側に前記空気孔に空気を導入するための空気導入通路をなすリブを形成してあり、容器の外層の表面に包装を施してあることを特徴とする絞り出し多層容器。
【請求項２】
空気導入通路は、複数列のリブで形成されていることを特徴とする請求項１記載の絞り出し多層容器。
【請求項３】
容器の内層は酸素バリア層を有する樹脂で構成される層を有する多層構造とすることを特徴とする請求項１または２記載の絞り出し多層容器。
【発明の詳細な説明】
【技術分野】
【０００１】
本発明は、マヨネーズやケチャップ等の粘性食品あるいは醤油や食酢等の液体食品などの内容物を絞り出して使用する容器全般に用いられる絞り出し多層容器に関するものである。
【背景技術】
【０００２】
マヨネーズやケチャップ等の粘性食品の容器としては、軟質プラスチック製の絞り出し容器が広く用いられている。また、この種の絞り出し容器において、容器本体を内外の二重壁構造にすると共に胴部外壁に空気導入孔を形成して、内容物が少なくなっても外壁に形状復元性をもたせたものは、特開昭５８−１９３２６１号公報（特許文献１）、特開平４−２６７７２７号公報（特許文献２）にそれぞれ記載されているものなどが知られている。
【先行技術文献】
【特許文献】
【０００３】
【特許文献１】特開昭５８−１９３２６１号公報
【特許文献２】特開平４−２６７７２７号公報
【発明の概要】
【発明が解決しようとする課題】
【０００４】
前掲の特許文献１および特許文献２に記載されている剥離性を有する多層の絞り出し容器にあっては、容器の外層に空気導入孔が設けられており、空気導入孔を指で押さえながら内容物を絞り出すことにより、内層は内容物の減少に伴って収縮し、外層は指を離した際に空気導入孔から内層と外層との間に空気が導入されるため、内容物の残り量にかかわらず元の形状に復元する。このような剥離性を有する多層の絞り出し容器にさらに内層にバリア性を備えることで、マヨネーズや醤油等の調味料が空気に接触することを極力抑えることができ、内容物の鮮度を長期間にわたって保つことができる。
【０００５】
しかしながら、外層に空気導入孔を備える容器にラベルやシュリンク包装を施した場合、指を離しても空気導入孔と包装が密着し、空気導入孔から容器内部の剥離界面に空気を導入することができず、外層の形状復元性に劣るという問題があった。
【０００６】
そこで、本発明の目的は、内層と外層の多層構造をなし、容器の外層の表面に包装を有する容器において、容器胴部の中心付近に外層と内層の界面へ空気を導入する空気孔を設け、エアを通すリブを穴周辺から容器底部及び／又は肩部に設け、内容物を絞り出す際に外層の空気孔に指を宛がって容器を押せば、内容物の残り量に応じて収縮する内層を有し内容物の絞り出し後は空気導入通路をなすリブを通じて外部から空気を滞りなく導入できて外層の形状復元をはかることができる絞り出し多層容器を提供するものである。
【課題を解決するための手段】
【０００７】
上記目的を達成する本発明の絞り出し多層容器は、内層と外層の多層構造をなす容器において、容器の外層に空気を導入する空気孔を設けるとともに、容器の外層の外面側に前記空気孔に空気を導入するための空気導入通路をなすリブを形成してあり、容器の外層の表面に包装を施してある構成としたことを特徴とするものである。
【０００８】
そして、本発明において、空気導入通路は、複数列のリブで形成されていることが好適である。
【発明の効果】
【０００９】
本発明の絞り出し多層容器によれば、内容物を絞り出す際に外層の空気孔に指を宛がって容器を押せば、内容物を絞り出すことができ、その絞り出し後は容器の底部から空気導入通路をなすリブを通じて空気孔から空気を導入して外層の形状復元をはかることができるものである。
【図面の簡単な説明】
【００１０】
【図１】本発明の一実施の形態に係る絞り出し多層容器の全体斜視図である。
【図２】図１におけるＡ−Ａ断面図である。
【図３】図１におけるＢ−Ｂ断面図である。
【図４】図１における空気孔とその周辺部分の拡大斜視図である。
【図５】空気孔とその周辺部分の他の実施の形態を示す拡大斜視図である。
【図６】空気孔とその周辺部分のさらに他の実施の形態を示す拡大斜視図である。
【図７】空気孔とその周辺部分のまたさらに他の実施の形態を示す拡大斜視図である。
【図８】内容物を絞り出した後の復元状態を示す断面図である。
【発明を実施するための形態】
【００１１】
図１ないし図４において、本発明に係る絞り出し多層容器１は、胴部２の一端に絞り出し口３を有し、底部４を閉じた構成のものである。絞り出し多層容器１は、軟質プラスチック製であって、内層５とそれに対して非接着状態で重合する外層６によって構成された多層構造であり、さらにその外側にシュリンク包装１１を備える。すなわち内層５と外層６は剥離界面を形成している。絞り出し口３と胴部２との境には首部７が形成されている。絞り出し口３にはキャップ８が着脱自在に装着されている。
【００１２】
絞り出し容器１の形状は、断面が丸形でない扁平ないしはやや扁平形状であることが、内容物の押し出し性の観点から好ましい。外層６の材質は、特に限定されることなく、公知の材料を用いることが可能であるが、形状復元性に優れたポリオレフィン系樹脂が好適である。内層５は、１層あるいは多層構造に構成され、好適にはその内側の層と接着層を介して配置された酸素バリア層の３層構造で構成される。このとき最内層は柔軟性に優れたポリオレフィン系樹脂で構成され、酸素バリア層はエチレン−ビニルアルコール共重合樹脂で構成されている。このとき、外層６と接触する酸素バリア層には、外層６との接触界面に接着剤を備えないため、内層５と外層６とは剥離しており、内容物が減容した後に、後述する空気孔９を通して空気が導入されることで、内層５は押し出し時の収縮状態を保持し、外層６は元の状態に復元することになる。
【００１３】
また、内層５と外層６により構成される多層構造の絞り出し多層容器１において、容器の外層６には、胴部２の一面上部寄りの位置に空気を導入する空気孔９が設けられている。空気孔９は指で全体を覆うことができる程度の大きさで形成することが好ましい。また、容器の外層６の胴部２にあたる表面には、シュリンクフィルムによるシュリンク包装１１が施されている。なお、シュリンク包装１１には、印刷などを施し、空気孔９の位置が視認しやすいようにすることが好ましい。また、空気孔９を突出させることで、シュリンク包装１１で覆われた後でも空気孔９が容易に認識できるようにしても良い。さらに、容器の外層６の外面側には前記空気孔９の近傍、あるいは接触位置で一端が開口、あるいは空気孔９を指で押さえられる程度に間隔が空けられ、かつ他端が容器の底部、あるいは肩部で外部に向かって開口し、空気孔９に空気を導入するための空気導入通路１２をなすリブ１０が形成されている。リブ１０は、２本の外側に突出した凸リブ、あるいは内側に凹んだ凹リブからなり、少なくとも容器のシュリンク包装１１で覆われた部分よりも外側まで連通していることで、シュリンク包装１１の外側から空気孔９へ空気を導入する。図１ないし図４に示す実施の形態においては、前記リブ１０が空気孔９を取り囲んだうえ左右に２条の空気導入通路１２が底部４にのびるように形成されている。
【００１４】
このような絞り出し多層容器１は、シュリンク包装１１の上から空気孔９を押さえて内容物の絞り出しが行われ、容器の凹み量に応じて絞り出し口３から内容物が吐出する。容器を窪ませた際には、内層５及び外層６が同時に凹み、収縮することになるが、指を離すとシュリンク包装１１の外側からリブ１０で形成された空気導入通路１２を通じて、空気孔９から内層５と外層６との剥離界面に空気が導入される。これにより、内層５は、凹んだ状態を保持することになるが、外層６は、徐々に元の状態に復元することになり、例えば内層５をバリア性を有する樹脂で構成することにより、内容物の酸化劣化を防止でき、長期間にわたって内容物を保護することが可能になる。
【００１５】
前記空気孔９とその空気導入通路１２は、図５に示すように、左右に２条の空気導入通路１２を凹みとし、空気導入通路１２の空気孔９に連なる部分の幅を狭小とした構成としたり、さらに図６に示すように、空気導入通路を３条の凹条１３として空気孔９に近接させた構成にしたり、またさらに図７に示すように、空気孔９に近接する位置から空気導入位置にかけて複数条の突起条１４を設けて空気導入通路を構成してもよい。なお、空気導入通路による空気導入位置は容器の底部のほか容器の肩部に設けてもよく、またその両方であってもよい。
【００１６】
絞り出し多層容器１は、マヨネーズやケチャップ等の粘性食品あるいは醤油や食酢等の液体食品などの調味料や薬品などの容器として全般的に用いることが可能であり、内容物を絞り出す際には、胴部２をもった手の指で空気孔９の部分を押さえながら胴部２を押して絞り出し口３から内容物が絞り出される。そして、絞り出しを終えたならば絞り出し口３を逆止弁（図示せず）を有するキャップ８で閉じるが、絞り出しにより変形した外層６は、空気導入通路１２を通じて空気孔９に空気が導入されて形状が復元され、内容物の残り量にかかわらず良好な外観性が保持される。
【符号の説明】
【００１７】
１  絞り出し多層容器
２  胴部
３  絞り出し口
４  底部
５  内層
６  外層
７  首部
８  キャップ
９  空気孔
１０  リブ
１１  シュリンク包装
１２  空気導入通路
１３  凹条
１４  突起条
【図１】
2014104995.tif 000003
【図２】
2014104995.tif 000004
【図３】
2014104995.tif 000005
【図４】
2014104995.tif 000006
【図５】
2014104995.tif 000007
【図６】
2014104995.tif 000008
【図７】
2014104995.tif 000009
【図８】
2014104995.tif 000010